(57)【要約】【課題】従来のプラス・マイナス導電ネット素材を、ネット素材に交互に配備する構成を採用した猿等の害獣を撃退する防獣ネットシステムがある。しかし、ネット素材を現場に合った構造とすることに関し、充分な説明がないこと、また忌避剤添加ネット素材を、如何に結節し、防獣ネットにどのように配置するかの説明がなく、これらを明確にする構造と、防獣ネットの構築システムが望まれる処である。【構成】本発明は、合成樹脂製のネット撚糸と、忌避剤添加ネット撚糸とで構成した紺色の第一ネット撚糸、同緑色の第二ネット撚糸、またワイヤーを撚り上げたプラス・マイナス極用の導電撚糸で結節したプラス・マイナス導電ネット撚糸を着色し、第一ネット撚糸が、空に溶け込み、防獣ネットの存在を攪乱し、また第二ネット撚糸が、圃場の作物に溶け込み、防獣ネットの存在を攪乱し、猿の飛来を防止する電撃ネット構造である。【選択図】図１
2008307009.tif 000002
【特許請求の範囲】
【請求項１】
圃場を囲繞するように多数本のポールを立設し、この多数本のポールに、順次、自由端に錘入り吊下げ用ロープを嵌入可能な二重環状部を備えた可撓性ポールを挿入し、この可撓性ポールの一方端部の二重環状部に、前記吊下げ用ロープを係止し、この係止した吊下げ用ロープを、結束を開放された防獣ネットの上方の編成ネット係止部に順次挿入するに際して、その自由端側から、順次、挿入し、この挿入完了後に、防獣ネットを、ポール及び／又は可撓性ポールの一方端部に係止し、この一方端部を固定し、その後、この防獣ネットを、吊下げ用ロープの全体に展開し、当該防獣ネットが展開された状態を確保しながら、順次、前記吊下げ用ロープを、ポールの間隔に対応した間隔で、前記可撓性ポールの二重環状部に、係止し、この防獣ネットの網目の開きを、同じ状態に維持して、この防獣ネットの体裁の確保と、風に対する抵抗の均一化を図り、倒壊防止と、また猿の引っ掛りをなくす作業を順次行い、前記圃場を囲繞した可撓性ポールに、吊下げ用ロープと防獣ネットを吊下げ支持するとともに、この防獣ネットの下方を、前記圃場の地面に重畳するように設置し、この防獣ネットの下方の編成ネット係止部に順次、地面設置用の錘入り設置用ロープを、順次、挿入し、前記圃場を、防獣ネットで囲繞し、かつこの防獣ネットに通電し、しかも、前記可撓性ポールを利用して、猿の防獣ネットの乗越え防止を図り、さらに地面への設置を介して、猿の潜り込みを防止する構成とした猿対策用の防獣ネットの設置方法。
【請求項２】
請求項１に記載の防獣ネットの設置方法であって、
前記ポール及び／又は可撓性ポールの一方・他方端部に、前記防獣ネットを係止するが、他のポール及び／又は可撓性ポールには、前記防獣ネットを係止しない方法とし、猿が、この防獣ネットに跳び付いた状態で、当該可撓性ポール及び／又は防獣ネットが、個別に揺れ動く構成とした猿対策用の防獣ネットの設置方法。
【請求項３】
請求項１に記載の防獣ネットの設置方法に採用される防獣ネットの構造であって、
合成樹脂製の繊維を数本撚り合せたネット撚糸と、忌避剤を添加した撚糸とを撚り上げた忌避剤を添加したネット撚糸を、菱形に結節して非導電性のネット部を構成し、
この非導電性のネット部の中に、合成樹脂製の繊維を数本撚り合せたネット撚糸と、ワイヤーとを撚り上げてなるプラス極用の導電撚糸で結節したプラス導電ネット撚糸と、合成樹脂製の繊維を数本撚り合せたネット撚糸と、ワイヤーとを撚り上げてなるマイナス極用の導電撚糸で結節したマイナス導電ネット撚糸を交互に配置し、かつこのプラス・マイナス導電ネット撚糸の間に、前記忌避剤を添加したネット撚糸を編成し、導電性のネット部を構成し、
前記導電性のネット部を、前記非導電性のネット部の中に、複数列設ける構成の防獣ネットとし、
この防獣ネットを、前記圃場を囲繞するように立設したポールと、可撓性ポールを介して、展開設置し、前記プラス・マイナス導電ネット撚糸に、電池、バッテリー等の電源に接続する電線を連設し、また前記ネット部の上下端の折返し箇所に、錘入りロープを挿入可能とした防獣ネットの構造。
【請求項４】
請求項３に記載の防獣ネットの設置方法に採用される防獣ネットの構造であって、
前記合成樹脂製の繊維を数本撚り合せたネット撚糸と、忌避剤を添加した撚糸とを撚り上げた忌避剤を添加したネット撚糸を、ナイロン繊維を数本撚り合せたネット撚糸と、忌避剤を添加した撚糸とで構成した第一ネット撚糸であり、この第一ネット撚糸を紺色に着色し、
また前記合成樹脂製の繊維を数本撚り合せたネット撚糸と、忌避剤を添加した撚糸とを撚り上げた忌避剤を添加したネット撚糸を、ポリエチレン繊維を数本撚り合せたネット撚糸と、忌避剤を添加した撚糸とで構成した第二ネット撚糸であり、この第二ネット撚糸を緑色に着色し、
さらにポリエチレン繊維を数本撚り合せたネット撚糸と、ワイヤーを撚り上げてなるプラス極用の導電撚糸で結節したプラス導電ネット撚糸と、ポリエチレン繊維を数本撚り合せたネット撚糸と、ワイヤーを撚り上げてなるマイナス極用の導電撚糸で結節したマイナス導電ネット撚糸であり、このプラス導電ネット撚糸を赤色に着色し、またマイナス導電ネット撚糸を黒色に着色し、
前記紺色に着色した第一ネット撚糸を、前記防獣ネットの上下方に配置し、緑色に着色した第二ネット撚糸を、前記防獣ネットの中間に配置し、前記圃場に張装した状態で、前記第一ネット撚糸が、空に溶け込み、防獣ネットの存在を攪乱し、また緑色に着色した第二ネット撚糸が、圃場の作物に溶け込み、防獣ネットの存在を攪乱し、猿の飛来を防止し、かつプラス・マイナス導電ネット撚糸を介して、猿を電撃する構成とした防獣ネットの構造。
【発明の詳細な説明】
【技術分野】
【０００１】
本発明は、猪、鹿、猿、たぬき、狐、もぐら、ねずみ等の害獣であって、主として、猿に対応できる猿対策用の防獣ネットの設置方法と、防獣ネットの構造に関する。
【背景技術】
【０００２】
従来、害獣対策用の防獣ネットの設置方法と、防獣ネットの構造に関し、害獣全体の飛来、又は侵入を回避することを主眼とすることから、必ずしも、充分でなく、大雑把に防止することを意図する。従って、対応が後手に回ることがおおく、充分な効果を挙げていないのが現況である。
【０００３】
このような現況を踏まえて、先行文献を列挙する。次のような文献（１）〜（４）があるので、その内容を、順次下記において説明する。
【０００４】
文献（１）は、特開平６−２２５６８０号の「猿害防止装置」であり、その概要は、猿の侵入防止用の境界線に設けた多数の支柱間に張設されたネットと、このネットの上部に垂設又は斜設した裸電線と、この裸電線に衝撃電流を流す電源装置を備えた猿害防止装置であって、裸電線に流れる衝撃電流の状態を信号で発信し、この信号を自宅等の遠隔場所で受信して衝撃電流の状態を介して、遠隔操作により監視、又は雑草等が裸電線に触れて短絡し、猿に対する衝撃が無くなっている状態等を遠隔操作により監視を図ることで、例えば、農家の手間を少なくし、また果物等の収穫物を荒らす猿による被害の有効防止を図る。
【０００５】
文献（２）は、実開平６−１９４８３号の「防獣用ネット」であり、その概要は、防獣用ネット本体を構成する網脚の一部をマイナス通電網脚とし、その網脚の他部をプラス通電網脚で形成し、この導電網脚に、それぞれ電極を接続して通電状態とする構成とし、この通電状態における接触を介して、衝撃を与えて、害獣の侵入を防止すること、又は猿のように地面から飛び上がる害獣に対しても有効に作用する構成であり、略全ての害獣に対応できる防獣用ネットの提供を意図する。
【０００６】
また文献（３）は、特開平８−１１２０５５号の「電気柵」であり、その概要は、導電材で形成した柵本体の上縁に複数本のプラス極を裸電線を設け、この裸電線の下の柵本体にネットを張装し、マイナス極を地中にアース、かつ前記ネットに接続する構成とし、裸電線→猿→柵本体→アース線→地面という経路で衝撃電流を流し、この裸電線とアース線に接触することで、害獣に衝撃を与えて撃退することを意図する。
【０００７】
さらに文献（４）は、特開２００３−２１９７８８の「防獣システムと、防獣用ネット並びに防獣用ネット係止環」であり、その概要は、合成樹脂製の数本の繊維を撚り上げたネット素材に、合成樹脂製の数本の繊維とワイヤーとを撚り上げた導電ネット素材を適宜間隔で編成し、上下端に錘入りロープを配設した防獣用ネットであって、この防獣用ネットを、農地、果樹園等の圃地に立設した可撓性ポールに張装し、この張装時に防獣用ネットの下方を地面に延展状態で設け、防獣用ネットと地面との隙間をなくし、また錘入りロープを地面に配置し、地面に沿って侵入する猿等の侵入を防止し、さらに導電ネット素材とネット素材間に接触し、飛来する猿等の害獣を、電撃的に衝撃する（電撃とする）構成であり、屋外及び／又は山間で風雪に晒される状況、又は猿等の害獣が習性で飛付く等の過酷な使用状況においても、防獣効果を発揮し、かつ防獣用ネットの損傷を少なくすること、又は防獣用ネットの構造の簡略化と低コスト化、また設置作業・取扱いの容易化、簡略化等を図ること等を意図する。
【０００８】
【特許文献１】特開平６−２２５６８０号
【特許文献２】実開平６−１９４８３号
【特許文献３】特開平８−１１２０５５号
【特許文献４】特開２００３−２１９７８８
【発明の開示】
【発明が解決しようとする課題】
【０００９】
文献（１）〜（３）は、導電性を備えた防獣ネットと、地中のマイナス極とを利用する構造であり、地面に足を置き、防獣ネットに鼻、足、手等の体の一部を接触する動作が達成された状態で、電撃を与える防獣装置である。従って、空中を飛ぶ害獣、例えば、猿等の害獣に対する有効性は、かなり疑問視される処である。そして、この猿の動作及び／又は習性を熟知する専門家であれば、当然に理解できる事柄である。
【００１０】
また文献（１）〜（３）は、防獣ネットと導電部材とを個別にする装置及び／又は設置する構造では、設置・張装作業及び／又はその段取り等が面倒であること、又は防獣ネットの設置・張装と、導電部材の配線に対し、それぞれ専門家が必要であり、これらの設置及び／又は作業に手間を要すること、さらに各種部材、機材等の準備、搬入、運搬、保管等においても、手間及び場所を要すること等の課題が考えられる。
【００１１】
尚、文献（２）は、防獣用ネット本体を構成する網脚を、マイナス・プラス通電網脚を多数配備し、この両通電網脚に接触した際に、害獣に電撃を与える構造である。しかし、このマイナス・プラス通電網脚を回避し、侵入する状況も間々あり、防獣効果において、疑問視されること、又は電撃を与える頻度の低下が考えられる。そして、マイナス・プラス通電網脚は、それぞれ単線形状であり、短絡等して破損した場合は、機能せず、害獣対策としては、十分とは云えないと考えられる。
【００１２】
そして、文献（４）は、プラス・マイナス極用の導電撚糸で結節したプラス・マイナス導電ネット素材を、ネット素材に交互に配備する構造である。これにより、従来の問題である、例えば、空中を飛ぶ猿等の害獣に対する有効性を確保し、また前述の地中にマイナス極を配備する構造の欠点を解消した。しかながら、この文献（４）は、ネット素材を現場に合った構造とすることに関し、充分な説明がないこと、また忌避剤を備えたネット素材を、如何に結節し、防獣ネットにどのように配置するかの説明がなく、これらを明確にする構造が望まれる処である。
【課題を解決するための手段】
【００１３】
請求項１の発明は、圃場の周辺に、簡易、かつ確実に防獣ネットを張装すること、また張装の迅速化を図ること等を意図する。そして、また請求項１の発明は、圃場の周辺に、簡易、かつ確実に防獣ネットを張装するに際し、この防獣ネットの菱形の結節寸法を、全体において、略均一に確保するために、可撓性ポールの間隔に合せて、防獣ネットの張装寸法を保持可能とする猿対策用の防獣ネットの設置方法を提供する。さらに、請求項１の発明は、ポール、可撓性ポール、並びに防獣ネットと、吊下げ用ロープと、設置用ロープとを、現場に個別に、持ち込み、この現場で、ワンタッチで、かつ特別な細工をすることなく、張装できる猿対策用の防獣ネットの設置方法を提供する。
【００１４】
請求項１は、圃場を囲繞するように多数本のポールを立設し、この多数本のポールに、順次、自由端に錘入り吊下げ用ロープを嵌入可能な二重環状部を備えた可撓性ポールを挿入し、この可撓性ポールの一方端部の二重環状部に、前記吊下げ用ロープを係止し、この係止した吊下げ用ロープを、結束を開放された防獣ネットの上方の編成ネット係止部に順次挿入するに際して、その自由端側から、順次、挿入し、この挿入完了後に、防獣ネットを、ポール及び／又は可撓性ポールの一方端部に係止し、この一方端部を固定し、その後、この防獣ネットを、吊下げ用ロープの全体に展開し、当該防獣ネットが展開された状態を確保しながら、順次、前記吊下げ用ロープを、ポールの間隔に対応した間隔で、前記可撓性ポールの二重環状部に、係止し、この防獣ネットの網目の開きを、同じ状態に維持して、この防獣ネットの体裁の確保と、風に対する抵抗の均一化を図り、倒壊防止と、また猿の引っ掛りをなくす作業を順次行い、前記圃場を囲繞した可撓性ポールに、吊下げ用ロープと防獣ネットを吊下げ支持するとともに、この防獣ネットの下方を、前記圃場の地面に重畳するように設置し、この防獣ネットの下方の編成ネット係止部に順次、地面設置用の錘入り設置用ロープを、順次、挿入し、前記圃場を、防獣ネットで囲繞し、かつこの防獣ネットに通電し、しかも、前記可撓性ポールを利用して、猿の防獣ネットの乗越え防止を図り、さらに地面への設置を介して、猿の潜り込みを防止する構成とした猿対策用の防獣ネットの設置方法である。
【００１５】
請求項２の発明は、請求項１の目的を達成すること、この目的を達成するのに最適な可撓性ポール及び／又は防獣ネットの関係と、構造を提供することを意図する。
【００１６】
請求項２は、請求項１に記載の防獣ネットの設置方法であって、
前記ポール及び／又は可撓性ポールの一方・他方端部に、前記防獣ネットを係止するが、他のポール及び／又は可撓性ポールには、前記防獣ネットを係止しない方法とし、猿が、この防獣ネットに跳び付いた状態で、当該可撓性ポール及び／又は防獣ネットが、個別に揺れ動く構成とした猿対策用の防獣ネットの設置方法である。
【００１７】
請求項３の発明は、圃場の周辺に、簡易、かつ確実に防獣ネットが張装できる構造で、かつこの張装の迅速化を図れる防獣ネットの構造を提供することを意図する。そして、また請求項３の発明は、圃場の周辺に、簡易、かつ確実に防獣ネットを張装するに際し、この防獣ネットの菱形の結節寸法を、全体において、略均一に確保することが可能であり、猿の飛来時において、把持できる防獣ネットの重なり箇所を少なくすること、そして、また、可撓性ポールの間隔に合せて、防獣ネットの張装寸法を保持可能とする猿対策用として最適な防獣ネットの構造を提供する。
【００１８】
さらに、請求項３の発明は、ポール、可撓性ポール、並びに防獣ネットと、吊下げ用ロープと、設置用ロープとを、現場に個別に、持ち込み、この防獣ネットの上下端の折返し箇所に、錘入りロープを挿入可能とすることで、現場で、ワンタッチで、かつ特別な細工をすることなく、張装できる猿対策用の防獣ネットの装置を提供する。
【００１９】
請求項３は、請求項１に記載の防獣ネットの設置方法に採用される防獣ネットの構造であって、
合成樹脂製の繊維を数本撚り合せたネット撚糸と、忌避剤を添加した撚糸とを撚り上げた忌避剤を添加したネット撚糸を、菱形に結節して非導電性のネット部を構成し、
この非導電性のネット部の中に、合成樹脂製の繊維を数本撚り合せたネット撚糸と、ワイヤーとを撚り上げてなるプラス極用の導電撚糸で結節したプラス導電ネット撚糸と、合成樹脂製の繊維を数本撚り合せたネット撚糸と、ワイヤーとを撚り上げてなるマイナス極用の導電撚糸で結節したマイナス導電ネット撚糸を交互に配置し、かつこのプラス・マイナス導電ネット撚糸の間に、前記忌避剤を添加したネット撚糸を編成し、導電性のネット部を構成し、
前記導電性のネット部を、前記非導電性のネット部の中に、複数列設ける構成の防獣ネットとし、
この防獣ネットを、前記圃場を囲繞するように立設したポールと、可撓性ポールを介して、展開設置し、前記プラス・マイナス導電ネット撚糸に、電池、バッテリー等の電源に接続する電線を連設し、また前記ネット部の上下端の折返し箇所に、錘入りロープを挿入可能とした防獣ネットの構造である。
【００２０】
請求項４の発明は、請求項３の目的を達成すること、この目的を達成するのに最適な防獣ネットの素材及び／又は構造を提供することを意図する。
【００２１】
請求項４は、請求項３に記載の防獣ネットの設置方法に採用される防獣ネットの構造であって、
前記合成樹脂製の繊維を数本撚り合せたネット撚糸と、忌避剤を添加した撚糸とを撚り上げた忌避剤を添加したネット撚糸を、ナイロン繊維を数本撚り合せたネット撚糸と、忌避剤を添加した撚糸とで構成した第一ネット撚糸であり、この第一ネット撚糸を紺色に着色し、
また前記合成樹脂製の繊維を数本撚り合せたネット撚糸と、忌避剤を添加した撚糸とを撚り上げた忌避剤を添加したネット撚糸を、ポリエチレン繊維を数本撚り合せたネット撚糸と、忌避剤を添加した撚糸とで構成した第二ネット撚糸であり、この第二ネット撚糸を緑色に着色し、
さらにポリエチレン繊維を数本撚り合せたネット撚糸と、ワイヤーとを撚り上げてなるプラス極用の導電撚糸で結節したプラス導電ネット撚糸と、ポリエチレン繊維を数本撚り合せたネット撚糸と、ワイヤーを撚り上げてなるマイナス極用の導電撚糸で結節したマイナス導電ネット撚糸であり、このプラス導電ネット撚糸を赤色に着色し、またマイナス導電ネット撚糸を黒色に着色し、
前記紺色に着色した第一ネット撚糸を、前記防獣ネットの上下方に配置し、緑色に着色した第二ネット撚糸を、前記防獣ネットの中間に配置し、前記圃場に張装した状態で、前記第一ネット撚糸が、空に溶け込み、防獣ネットの存在を攪乱し、また緑色に着色した第二ネット撚糸が、圃場の作物に溶け込み、防獣ネットの存在を攪乱し、猿の飛来を防止し、かつプラス・マイナス導電ネット撚糸を介して、猿を電撃（威嚇）する構成とした防獣ネットの構造である。
【発明の効果】
【００２２】
請求項１の発明は、圃場を囲繞するように多数本のポールを立設し、多数本のポールに、順次、自由端に錘入り吊下げ用ロープを嵌入可能な二重環状部を備えた可撓性ポールを挿入し、可撓性ポールの一方端部の二重環状部に、吊下げ用ロープを係止し、係止した吊下げ用ロープを、結束を開放された防獣ネットの上方の編成ネット係止部に順次挿入するに際して、自由端側から、順次、挿入し、挿入完了後に、防獣ネットを、ポール及び／又は可撓性ポールの一方端部に係止し、一方端部を固定し、その後、防獣ネットを、吊下げ用ロープの全体に展開し、防獣ネットが展開された状態を確保しながら、順次、吊下げ用ロープを、ポールの間隔に対応した間隔で、可撓性ポールの二重環状部に、係止し、防獣ネットの網目の開きを、同じ状態に維持して、防獣ネットの体裁の確保と、風に対する抵抗の均一化を図り、倒壊防止と、また猿の引っ掛りをなくす作業を順次行い、圃場を囲繞した可撓性ポールに、吊下げ用ロープと防獣ネットを吊下げ支持するとともに、防獣ネットの下方を、圃場の地面に重畳するように設置し、防獣ネットの下方の編成ネット係止部に順次、地面設置用の錘入り設置用ロープを、順次、挿入し、圃場を、防獣ネットで囲繞し、かつ防獣ネットに通電し、しかも、可撓性ポールを利用して、猿の防獣ネットの乗越え防止を図り、さらに地面への設置を介して、猿の潜り込みを防止する構成とした猿対策用の防獣ネットの設置方法である。
【００２３】
従って、請求項１は、圃場の周辺に、簡易、かつ確実に防獣ネットを張装すること、また張装の迅速化が図れること等の特徴を有する。そして、また請求項１は、圃場の周辺に、簡易、かつ確実に防獣ネットを張装するに際し、この防獣ネットの菱形の結節寸法を、全体において、略均一に確保するために、可撓性ポールの間隔に合せて、防獣ネットの張装寸法を保持可能とする猿対策用の防獣ネットの設置方法を提供できる利点がある。さらに、請求項１は、ポール、可撓性ポール、並びに防獣ネットと、吊下げ用ロープと、設置用ロープとを、現場に個別に持ち込み、この現場で、ワンタッチで、かつ特別な細工をすることなく、張装できる猿対策用の防獣ネットの設置方法を提供できる特徴がある。
【００２４】
請求項２の発明は、請求項１に記載の防獣ネットの設置方法であって、
ポール及び／又は可撓性ポールの一方・他方端部に、防獣ネットを係止するが、他のポール及び／又は可撓性ポールには、防獣ネットを係止しない方法とし、猿が、防獣ネットに跳び付いた状態で、可撓性ポール及び／又は防獣ネットが、個別に揺れ動く構成とした猿対策用の防獣ネットの設置方法である。
【００２５】
従って、請求項２は、請求項１の目的を達成できること、この目的を達成するのに最適な可撓性ポール及び／又は防獣ネットの関係と、構造を提供できること等の特徴を有する。
【００２６】
請求項３の発明は、請求項１に記載の防獣ネットの設置方法に採用される防獣ネットの構造であって、
合成樹脂製の繊維を数本撚り合せたネット撚糸と、忌避剤を添加した撚糸とを撚り上げた忌避剤を添加したネット撚糸を、菱形に結節して非導電性のネット部を構成し、
非導電性のネット部の中に、合成樹脂製の繊維を数本撚り合せたネット撚糸と、ワイヤーとを撚り上げてなるプラス極用の導電撚糸で結節したプラス導電ネット撚糸と、合成樹脂製の繊維を数本撚り合せたネット撚糸と、ワイヤーとを撚り上げてなるマイナス極用の導電撚糸で結節したマイナス導電ネット撚糸を交互に配置し、かつプラス・マイナス導電ネット撚糸の間に、忌避剤を添加したネット撚糸を編成し、導電性のネット部を構成し、
導電性のネット部を、非導電性のネット部の中に、複数列設ける構成の防獣ネットとし、
防獣ネットを、圃場を囲繞するように立設したポールと、可撓性ポールを介して、展開設置し、プラス・マイナス導電ネット撚糸に、電池、バッテリー等の電源に接続する電線を連設し、またネット部の上下端の折返し箇所に、錘入りロープを挿入可能とした防獣ネットの構造である。
【００２７】
従って、請求項３は、圃場の周辺に、簡易、かつ確実に防獣ネットが張装できる構造で、かつこの張装の迅速化が図れる防獣ネットの構造を提供できること等の特徴を有する。そして、また請求項３は、圃場の周辺に、簡易、かつ確実に防獣ネットを張装するに際し、この防獣ネットの菱形の結節寸法を、全体において、略均一に確保することが可能であり、猿の飛来時において、把持できる防獣ネットの重なり箇所を少なくすること、そして、また、可撓性ポールの間隔に合せて、防獣ネットの張装寸法を保持可能とする猿対策用として最適な防獣ネットの構造を提供できる。さらに、請求項３は、ポール、可撓性ポール、並びに防獣ネットと、吊下げ用ロープと、設置用ロープとを、現場に個別に、持ち込み、この防獣ネットの上下端の折返し箇所に、錘入りロープを挿入可能とすることで、現場で、ワンタッチで、かつ特別な細工をすることなく、張装できる猿対策用の防獣ネットの装置を提供できる実益がある。
【００２８】
請求項４の発明は、請求項３に記載の防獣ネットの設置方法に採用される防獣ネットの構造であって、
合成樹脂製の繊維を数本撚り合せたネット撚糸と、忌避剤を添加した撚糸とを撚り上げた忌避剤を添加したネット撚糸を、ナイロン繊維を数本撚り合せたネット撚糸と、忌避剤を添加した撚糸とで構成した第一ネット撚糸であり、この第一ネット撚糸を紺色に着色し、
また合成樹脂製の繊維を数本撚り合せたネット撚糸と、忌避剤を添加した撚糸とを撚り上げた忌避剤を添加したネット撚糸を、ポリエチレン繊維を数本撚り合せたネット撚糸と、忌避剤を添加した撚糸とで構成した第二ネット撚糸であり、第二ネット撚糸を緑色に着色し、
さらにポリエチレン繊維を数本撚り合せたネット撚糸と、ワイヤーとを撚り上げてなるプラス極用の導電撚糸で結節したプラス導電ネット撚糸と、ポリエチレン繊維を数本撚り合せたネット撚糸と、ワイヤーを撚り上げてなるマイナス極用の導電撚糸で結節したマイナス導電ネット撚糸であり、プラス導電ネット撚糸を赤色に着色し、またマイナス導電ネット撚糸を黒色に着色し、
紺色に着色した第一ネット撚糸を、防獣ネットの上下方に配置し、緑色に着色した第二ネット撚糸を、防獣ネットの中間に配置し、圃場に張装した状態で、第一ネット撚糸が、空に溶け込み、防獣ネットの存在を攪乱し、また緑色に着色した第二ネット撚糸が、圃場の作物に溶け込み、防獣ネットの存在を攪乱し、猿の飛来を防止し、かつプラス・マイナス導電ネット撚糸を介して、猿を電撃する構成とした防獣ネットの構造である。
【００２９】
従って、請求項４は、請求項３の目的を達成できること、この目的を達成するのに最適な防獣ネットの素材及び／又は構造を提供できること等の特徴を有する。
【発明を実施するための最良の形態】
【００３０】
本発明の一例を説明する。
【００３１】
先ず図面の説明をすると、図１は圃場の全体に、防獣ネットを張装し、この防獣ネットに電気を供給する電源等の装置を設置し、この圃場を、防獣ネットで囲繞した一例を示した一部省略の俯瞰図、図２は、図１の一部を拡大して示した模式図である。そして、図３〜図１５は、圃場全体を、防獣ネットで囲繞する方法の一例を順に説明するものであり、図３はポールを、地中に適宜間隔で立設する模式図であり、例えば、猿の飛来、地形等を考慮し、その間隔を決定する。図４は地中に立設したポールに、順次、可撓性ポールを差込む状態を示した模式図、図５は、図４においてポールに差込んだ可撓性ポールの二重環状部を示した拡大模式図、図６は、図４においてポールに差込んだ可撓性ポールの二重環状部（ロープホルダ）に、吊下げ用ロープを係止した状態を示した拡大模式図、図７は、防獣ネットの上方の編成ネット係止部を結束する結束具を開放する状態を示した要部の模式図、図８は、防獣ネットの少なくとも、上方の編成ネット係止部の結束を開放し、この開放した上方の編成ネット係止部に、吊下げ用ロープを差入れる状態を示した模式図、図９は、吊下げ用ロープに差入れた上方の編成ネット係止部を、ポール及び／又は可撓性ポールの一方端部に移動し、この防獣ネットを、これに係止した状態を示した模式図、図１０は、図９の状態から、吊下げ用ロープを、ポールの間隔に対応した間隔で、可撓性ポールの二重環状部に、係止し、この防獣ネットの網目の開きを、同じ状態に維持して、この防獣ネットの体裁の確保等する状態を説明する模式図、図１１は、図１０の状態から、吊下げ用ロープを、ポールの間隔に対応した間隔で、次の可撓性ポールの二重環状部に、係止し、この防獣ネットの網目の開きを、同じ状態に維持して、この防獣ネットの体裁を確保等しながら、順次、展開する状態の過程の一部を説明する模式図、図１２は、図１１の状態から、さらに防獣ネットを展開する状態を示した模式図、図１３は、図１２の状態から、防獣ネットを、順次、展開し、最終の段階となって、ポール及び／又は可撓性ポールの他方端部に移動した状態を示した模式図、図１４は、図１３の如く、他方の端のポール及び／又は可撓性ポールに移動し、この防獣ネットを、これに係止した状態を示した模式図、図１５は、ポール及び／又は可撓性ポールの一方端部から、ポール及び／又は可撓性ポールの他方端部に、吊下げ用ロープを係止するとともに、防獣ネットを張装し、圃場全体を、この防獣ネットで囲繞した状態の一部を示した模式図である。尚、図１６−１は、防獣ネットの略上半分を示した拡大正面図、図１６−２は、防獣ネットの略下半分を示した拡大正面図を示している。
【００３２】
最初に、図３〜図１５に示した圃場全体を、防獣ネットで囲繞する方法の一例を順に説明する。
【００３３】
この一例では、図１に示した方形状の圃場Ａを、防獣ネットＢ（後述する合成樹脂製の繊維を数本撚り合せたネット撚糸１（以下、簡略して、［撚糸１］とする）と、忌避剤を添加した撚糸とを撚り上げた忌避剤を添加したネット撚糸２（「以下、簡略して、［忌避剤添加ネット撚糸２］とする」）と、プラス・マイナス導電ネット撚糸３・４、並びに吊下げ用ロープ５と、装着用ロープ６とを主構成要素とする）で囲繞するために、この圃場Ａには、猿の飛来、地形、自然条件、森林環境等を考慮し、多数本の硬性の筒体でなるポール８を、適宜間隔で立設する（図３参照）。
【００３４】
そして、この多数本のポール８には、順次、自由端に錘入り吊下げ用ロープ５を嵌入可能な二重環状部１０００を備えた可撓性ポール１０を挿入し（図４参照）、可撓性ポール１０の一方端部の二重環状部１０００に、吊下げ用ロープ５を係止する（図６参照）。そして、この係止した吊下げ用ロープ５の自由端５０、結束を開放された防獣ネットＢの忌避剤添加ネット撚糸２のループ箇所２００（図７参照）に、その自由端５０から、順次挿入する（図８参照）。この挿入完了後に、防獣ネットＢを、ポール８及び／又は可撓性ポール１０の一方端部８０、１００１に係止し、この一方端部８０、１００１（場合により、一方も可である）を固定し（図１０参照）、この際に、図９の如く、防獣ネットＢを、この一方端部８０、１００１に寄せることが望ましい。
【００３５】
その後、防獣ネットＢを、吊下げ用ロープ５の全体に展開し、防獣ネットＢが展開された状態を確保しながら、順次、吊下げ用ロープ５を、ポール８（可撓性ポール１０）の間隔に対応した間隔で、可撓性ポール１０の二重環状部１０００に、係止し（図１２参照）、防獣ネットＢの網目Ｂ１の開きを、全ての網目Ｂ１において、同じ状態に維持して、防獣ネットＢの体裁の確保と、風に対する抵抗の均一化を図り倒壊防止と、また猿の引っ掛りをなくす作業を順次行い（図１３参照）、圃場Ａを囲繞した可撓性ポール１０に、吊下げ用ロープ５と防獣ネットＢを吊下げ支持するとともに、防獣ネットＢの下方を、圃場Ａの地面Ａ１に重畳するように設置し、かつこの防獣ネットＢの下方の編成ネット係止部に順次、地面設置用の錘入り装着用ロープ６を、順次、挿入し、前記圃場Ａを、防獣ネットＢで囲繞し、かつポール８及び／又は可撓性ポール１０の他方端部８１、１００２に係止し、この他方端部８１、１００２（場合により、一方も可である）を固定する（図１４参照）。以上のような作業を介して、圃場Ａを、防獣ネットＢで囲繞し、かつこの防獣ネットＢの上下方には、吊下げ用ロープ５と、装着用ロープ６を介して、盲動防止と、猿の吊下がりによる撓み防止、又は地面Ａ１よりの侵入防止とを図る（図１５参照）。
【００３６】
そして、この防獣ネットＢのプラス・マイナス導電ネット撚糸３・４を、バッテリー１１等の電源に接続する。従って、このプラス・マイナス導電ネット撚糸３・４への通電を介して、この防獣ネットＢの全体に通電し、しかも、前記可撓性ポール１０を利用して、猿の防獣ネットＢの乗越え防止を図り、さらに地面Ａ１への設置を介して、猿の潜り込みを防止する構成とした猿対策用の防獣ネットの設置方法である。
【００３７】
尚、ポール８と可撓性ポール１０とは、適宜の長さを確保したら、止め具（図示せず）を介して固止し、かつこの可撓性ポール１０の回転防止を図る。また防獣ネットＢを、ポール８及び／又は可撓性ポール１０の一方端部８０、１００１、又は他方端部８１、１００２に係止し、その他の中間のポール８及び／又は可撓性ポール１０に係止しない構造とすることで、この防獣ネットＢが風になびき、猿の抱持を困難にすること、また猿自身の抱持の困難性を確保する等して、害獣防止に役立つ利点がある。尚、隅部のポール８及び／又は可撓性ポール１０に関しては、係止することが、防獣ネットＢの形態保持と、盲動及び／又は剥離防止に有効である。
【００３８】
次に、防獣用ネットＢの構造を説明すると、ネット撚糸１と、忌避剤添加ネット撚糸２とで構成した第一ネット撚糸２０であり、この第一ネット撚糸２０を紺色に着色し、またネット撚糸１と、忌避剤添加ネット撚糸２とで構成した第二ネット撚糸２１であり、第二ネット撚糸２１を緑色に着色し、さらにポリエチレン繊維を数本撚り合せたネット撚糸１と、ワイヤー３０とを撚り上げてなるプラス極用の導電撚糸３１で結節したプラス導電ネット撚糸３と、ポリエチレン繊維を数本撚り合せたネット撚糸１と、ワイヤー３０を撚り上げてなるマイナス極用の導電撚糸４０で結節したマイナス導電ネット撚糸４であり、このプラス導電ネット撚糸３を赤色に着色し、またマイナス導電ネット撚糸４を黒色に着色した構成である。従って、紺色に着色した第一ネット撚糸２０を、防獣ネットＢの上下方に配置し、緑色に着色した第二ネット撚糸２１を、防獣ネットＢの中間に配置し、圃場Ａに張装した状態で、紺色に着色した第一ネット撚糸２０が、空に溶け込み、防獣ネットＢの存在を攪乱し、また緑色に着色した第二ネット撚糸２１が、圃場Ａの作物Ａ２に溶け込み、防獣ネットＢの存在を攪乱し、猿の飛来を防止し、かつプラス・マイナス導電ネット撚糸３、４を介して、猿を電撃することを特徴とする。そして、プラス・マイナス導電ネット撚糸３、４を、それぞれ個別に着色することで、管理及び／又は接続の容易化と、接続ミスの解消に有効である。
【００３９】
図中３２は、防獣ネットＢの結節を示している。
【図面の簡単な説明】
【００４０】
【図１】図１は圃場の全体に、防獣ネットを張装し、この防獣ネットに電気を供給する電源等の装置を設置し、この圃場を、防獣ネットで囲繞した一例を示した一部省略の俯瞰図
【図２】図２は、図１の一部を拡大して示した模式図
【図３】図３はポールを、地中に適宜間隔で立設する模式図であり、例えば、猿の飛来、地形等を考慮し、その間隔を決定する
【図４】図４は地中に立設したポールに、順次、可撓性ポールを差込む状態を示した模式図
【図５】図５は、図４においてポールに差込んだ可撓性ポールの二重環状部を示した拡大模式図
【図６】図６は、図４においてポールに差込んだ可撓性ポールの二重環状部（ロープホルダ）に、吊下げ用ロープを係止した状態を示した拡大模式図
【図７】図７は、防獣ネットの上方の編成ネット係止部を結束する結束具を開放する状態を示した要部の模式図
【図８】図８は、防獣ネットの少なくとも、上方の編成ネット係止部の結束を開放し、この開放した上方の編成ネット係止部に、吊下げ用ロープを差入れる状態を示した模式図
【図９】図９は、吊下げ用ロープに差入れた上方の編成ネット係止部を、ポール及び／又は可撓性ポールの一方端部に移動し、この防獣ネットを、これに係止した状態を示した模式図
【図１０】図１０は、図９の状態から、吊下げ用ロープを、ポールの間隔に対応した間隔で、可撓性ポールの二重環状部に、係止し、この防獣ネットの網目の開きを、同じ状態に維持して、この防獣ネットの体裁の確保等する状態を説明する模式図
【図１１】図１１は、図１０の状態から、吊下げ用ロープを、ポールの間隔に対応した間隔で、次の可撓性ポールの二重環状部に、係止し、この防獣ネットの網目の開きを、同じ状態に維持して、この防獣ネットの体裁の確保等しながら、順次、展開する状態の過程の一部を説明する模式図
【図１２】図１２は、図１１の状態から、さらに防獣ネットを展開する状態を示した模式図
【図１３】図１３は、図１２の状態から、防獣ネットを、瞬時、展開し、最終の段階となって、他方の端のポール及び／又は可撓性ポールに移動した状態を示した模式図
【図１４】図１４は、図１３の如く、ポール及び／又は可撓性ポールの他方端部に移動し、この防獣ネットを、これに係止した状態を示した模式図
【図１５】図１５は、ポール及び／又は可撓性ポールの一方端部から、ポール及び／又は可撓性ポールの他方端部に、吊下げ用ロープを係止するとともに、防獣ネットを張装し、圃場全体を、この防獣ネットで囲繞した状態の一部を示した模式図
【図１６−１】図１６−１は、防獣ネットの略上半分を示した拡大正面図
【図１６−２】図１６−２は、防獣ネットの略下半分を示した拡大正面図
【符号の説明】
【００４１】
１          ネット撚糸
２          忌避剤添加ネット撚糸
２００      ループ箇所
３          プラス導電ネット撚糸
３０        ワイヤー
３１        プラス極用の導電撚糸
４          マイナス導電ネット撚糸
４０        マイナス極用の導電撚糸
５          吊下げ用ロープ
５０        自由端
６          装着用ロープ
８          ポール
８０        一方端部
８１        他方端部
１０        可撓性ポール
１００      二重環状部
１００１    一方端部
１００２    他方端部
１１        バッテリー
２０        第一ネット撚糸
２１        第二ネット撚糸
３２        結節
Ａ          圃場
Ａ１        地面
Ａ２        作物
Ｂ          防獣ネット
Ｂ１        網目
【図１】
2008307009.tif 000003
【図２】
2008307009.tif 000004
【図３】
2008307009.tif 000005
【図４】
2008307009.tif 000006
【図５】
2008307009.tif 000007
【図６】
2008307009.tif 000008
【図７】
2008307009.tif 000009
【図８】
2008307009.tif 000010
【図９】
2008307009.tif 000011
【図１０】
2008307009.tif 000012
【図１１】
2008307009.tif 000013
【図１２】
2008307009.tif 000014
【図１３】
2008307009.tif 000015
【図１４】
2008307009.tif 000016
【図１５】
2008307009.tif 000017
【図１６−１】
2008307009.tif 000018
【図１６−２】
2008307009.tif 000019
【手続補正書】
【提出日】平成20年4月7日(2008.4.7)
【手続補正１】
【補正対象書類名】特許請求の範囲
【補正対象項目名】全文
【補正方法】変更
【補正の内容】
【特許請求の範囲】
【請求項１】
圃場に立設した多数本のポールに、二重環状部を備えた可撓性ポールを挿入し、可撓性ポールの一方端部の二重環状部に吊下げ用ロープを係止し、この吊下げ用ロープを防獣ネット係止部に順次挿入し、この挿入完了後に、該防獣ネットをポール及び／又は可撓性ポールの一方端部に係止し、その後、該防獣ネットを展開しながら前記吊下げロープを、ポールの間隔に対応した間隔で、前記可撓性ポールの二重環状部に、係止し、吊下げ用ロープと防獣ネットを吊下げ支持するとともに、この防獣ネットの下方を、前記圃場の地面に重畳するように設置し、前記圃場を、当該防獣ネットで囲繞する猿対策用の防獣ネットの構造において、
前記防獣ネットは、
合成樹脂製の繊維を数本撚り合せたネット撚糸と、忌避剤を添加した撚糸とを撚り上げた忌避剤を添加したネット撚糸を、ナイロン繊維を数本撚り合せたネット撚糸と、忌避剤を添加した撚糸とで構成し、紺色に着色した第一ネット撚糸と、
また前記合成樹脂製の繊維を数本撚り合せたネット撚糸と、忌避剤を添加した撚糸とを撚り上げた忌避剤を添加したネット撚糸を、ポリエチレン繊維を数本撚り合せたネット撚糸と、忌避剤を添加した撚糸とで構成し、緑色に着色した第二ネット撚糸と、
さらにポリエチレン繊維を数本撚り合せたネット撚糸と、ワイヤーを撚り上げてなるプラス極用の導電撚糸で結節し、赤色に着色したプラス導電ネット撚糸と、
またポリエチレン繊維を数本撚り合せたネット撚糸と、ワイヤーを撚り上げてなるマイナス極用の導電撚糸で結節し、黒色に着色したマイナス導電ネット撚糸と、で構成し、
前記紺色に着色した第一ネット撚糸を、前記防獣ネットの上下方に配置し、緑色に着色した第二ネット撚糸を、前記防獣ネットの中間に配置し、前記圃場に張装した状態で、前記第一ネット撚糸が、空に溶け込み、防獣ネットの存在を攪乱し、また緑色に着色した第二ネット撚糸が、圃場の作物に溶け込み、防獣ネットの存在を攪乱し、猿の飛来を防止し、かつプラス・マイナス導電ネット撚糸を介して、猿を電撃することを特徴とした猿対策用の防獣ネットの構造。
【手続補正２】
【補正対象書類名】明細書
【補正対象項目名】全文
【補正方法】変更
【補正の内容】
【発明の詳細な説明】
【技術分野】
【０００１】
本発明は、猪、鹿、猿、たぬき、狐、もぐら、ねずみ等の害獣であって、主として、猿に対応できる猿対策用の防獣ネットの構造に関する。
【背景技術】
【０００２】
従来、害獣対策用の防獣ネットの設置方法と、防獣ネットの構造に関し、害獣全体の飛来、又は侵入を回避することを主眼とすることから、必ずしも、充分でなく、大雑把に防止することを意図する。従って、対応が後手に回ることがおおく、充分な効果を挙げていないのが現況である。
【０００３】
このような現況を踏まえて、先行文献を列挙する。次のような文献（１）〜（４）があるので、その内容を、順次下記において説明する。
【０００４】
文献（１）は、特開平６−２２５６８０号の「猿害防止装置」であり、その概要は、猿の侵入防止用の境界線に設けた多数の支柱間に張設されたネットと、このネットの上部に垂設又は斜設した裸電線と、この裸電線に衝撃電流を流す電源装置を備えた猿害防止装置であって、裸電線に流れる衝撃電流の状態を信号で発信し、この信号を自宅等の遠隔場所で受信して衝撃電流の状態を介して、遠隔操作により監視、又は雑草等が裸電線に触れて短絡し、猿に対する衝撃が無くなっている状態等を遠隔操作により監視を図ることで、例えば、農家の手間を少なくし、また果物等の収穫物を荒らす猿による被害の有効防止を図る。
【０００５】
文献（２）は、実開平６−１９４８３号の「防獣用ネット」であり、その概要は、防獣用ネット本体を構成する網脚の一部をマイナス通電網脚とし、その網脚の他部をプラス通電網脚で形成し、この導電網脚に、それぞれ電極を接続して通電状態とする構成とし、この通電状態における接触を介して、衝撃を与えて、害獣の侵入を防止すること、又は猿のように地面から飛び上がる害獣に対しても有効に作用する構成であり、略全ての害獣に対応できる防獣用ネットの提供を意図する。
【０００６】
また文献（３）は、特開平８−１１２０５５号の「電気柵」であり、その概要は、導電材で形成した柵本体の上縁に複数本のプラス極を裸電線を設け、この裸電線の下の柵本体にネットを張装し、マイナス極を地中にアース、かつ前記ネットに接続する構成とし、裸電線→猿→柵本体→アース線→地面という経路で衝撃電流を流し、この裸電線とアース線に接触することで、害獣に衝撃を与えて撃退することを意図する。
【０００７】
さらに文献（４）は、特開２００３−２１９７８８の「防獣システムと、防獣用ネット並びに防獣用ネット係止環」であり、その概要は、合成樹脂製の数本の繊維を撚り上げたネット素材に、合成樹脂製の数本の繊維とワイヤーとを撚り上げた導電ネット素材を適宜間隔で編成し、上下端に錘入りロープを配設した防獣用ネットであって、この防獣用ネットを、農地、果樹園等の圃地に立設した可撓性ポールに張装し、この張装時に防獣用ネットの下方を地面に延展状態で設け、防獣用ネットと地面との隙間をなくし、また錘入りロープを地面に配置し、地面に沿って侵入する猿等の侵入を防止し、さらに導電ネット素材とネット素材間に接触し、飛来する猿等の害獣を、電撃的に衝撃する（電撃とする）構成であり、屋外及び／又は山間で風雪に晒される状況、又は猿等の害獣が習性で飛付く等の過酷な使用状況においても、防獣効果を発揮し、かつ防獣用ネットの損傷を少なくすること、又は防獣用ネットの構造の簡略化と低コスト化、また設置作業・取扱いの容易化、簡略化等を図ること等を意図する。
【０００８】
【特許文献１】特開平６−２２５６８０号
【特許文献２】実開平６−１９４８３号
【特許文献３】特開平８−１１２０５５号
【特許文献４】特開２００３−２１９７８８
【発明の開示】
【発明が解決しようとする課題】
【０００９】
文献（１）〜（３）は、導電性を備えた防獣ネットと、地中のマイナス極とを利用する構造であり、地面に足を置き、防獣ネットに鼻、足、手等の体の一部を接触する動作が達成された状態で、電撃を与える防獣装置である。従って、空中を飛ぶ害獣、例えば、猿等の害獣に対する有効性は、かなり疑問視される処である。そして、この猿の動作及び／又は習性を熟知する専門家であれば、当然に理解できる事柄である。
【００１０】
また文献（１）〜（３）は、防獣ネットと導電部材とを個別にする装置及び／又は設置する構造では、設置・張装作業及び／又はその段取り等が面倒であること、又は防獣ネットの設置・張装と、導電部材の配線に対し、それぞれ専門家が必要であり、これらの設置及び／又は作業に手間を要すること、さらに各種部材、機材等の準備、搬入、運搬、保管等においても、手間及び場所を要すること等の課題が考えられる。
【００１１】
尚、文献（２）は、防獣用ネット本体を構成する網脚を、マイナス・プラス通電網脚を多数配備し、この両通電網脚に接触した際に、害獣に電撃を与える構造である。しかし、このマイナス・プラス通電網脚を回避し、侵入する状況も間々あり、防獣効果において、疑問視されること、又は電撃を与える頻度の低下が考えられる。そして、マイナス・プラス通電網脚は、それぞれ単線形状であり、短絡等して破損した場合は、機能せず、害獣対策としては、十分とは云えないと考えられる。
【００１２】
そして、文献（４）は、プラス・マイナス極用の導電撚糸で結節したプラス・マイナス導電ネット素材を、ネット素材に交互に配備する構造である。これにより、従来の問題である、例えば、空中を飛ぶ猿等の害獣に対する有効性を確保し、また前述の地中にマイナス極を配備する構造の欠点を解消した。しかながら、この文献（４）は、ネット素材を現場に合った構造とすることに関し、充分な説明がないこと、また忌避剤を備えたネット素材を、如何に結節し、防獣ネットにどのように配置するかの説明がなく、これらを明確にする構造が望まれる処である。
【課題を解決するための手段】
【００１３】
請求項１の発明は、圃場の周辺に、簡易、かつ確実に防獣ネットが張装できる構造で、かつこの張装の迅速化が図れる防獣ネットの構造を提供できること等の特徴を有する。そして、また請求項１の発明は、圃場の周辺に、簡易、かつ確実に防獣ネットを張装するに際し、この防獣ネットの結節寸法を、全体において、略均一に確保することが可能であり、猿の飛来時において、把持できる防獣ネットの重なり箇所を少なくすること、そして、また、可撓性ポールの間隔に合せて、防獣ネットの張装寸法を保持可能とする猿対策用として最適な防獣ネットの構造を提供する。さらに請求項１の発明は、ポール、可撓性ポール、並びに防獣ネットと、吊下げ用ロープと、設置用ロープとを、現場に個別に、持ち込み、この現場で、ワンタッチで、かつ特別な細工をすることなく、張装できる猿対策用の防獣ネットの装置を提供する。
【００１４】
請求項１は、圃場に立設した多数本のポールに、二重環状部を備えた可撓性ポールを挿入し、可撓性ポールの一方端部の二重環状部に吊下げ用ロープを係止し、この吊下げ用ロープを防獣ネット係止部に順次挿入し、この挿入完了後に、該防獣ネットをポール及び／又は可撓性ポールの一方端部に係止し、その後、該防獣ネットを展開しながら前記吊下げロープを、ポールの間隔に対応した間隔で、前記可撓性ポールの二重環状部に、係止し、吊下げ用ロープと防獣ネットを吊下げ支持するとともに、この防獣ネットの下方を、前記圃場の地面に重畳するように設置し、前記圃場を、当該防獣ネットで囲繞する猿対策用の防獣ネットの構造において、
前記防獣ネットは、
合成樹脂製の繊維を数本撚り合せたネット撚糸と、忌避剤を添加した撚糸とを撚り上げた忌避剤を添加したネット撚糸を、ナイロン繊維を数本撚り合せたネット撚糸と、忌避剤を添加した撚糸とで構成し、紺色に着色した第一ネット撚糸と、
また前記合成樹脂製の繊維を数本撚り合せたネット撚糸と、忌避剤を添加した撚糸とを撚り上げた忌避剤を添加したネット撚糸を、ポリエチレン繊維を数本撚り合せたネット撚糸と、忌避剤を添加した撚糸とで構成し、緑色に着色した第二ネット撚糸と、
さらにポリエチレン繊維を数本撚り合せたネット撚糸と、ワイヤーを撚り上げてなるプラス極用の導電撚糸で結節し、赤色に着色したプラス導電ネット撚糸と、
またポリエチレン繊維を数本撚り合せたネット撚糸と、ワイヤーを撚り上げてなるマイナス極用の導電撚糸で結節し、黒色に着色したマイナス導電ネット撚糸と、で構成し、
前記紺色に着色した第一ネット撚糸を、前記防獣ネットの上下方に配置し、緑色に着色した第二ネット撚糸を、前記防獣ネットの中間に配置し、前記圃場に張装した状態で、前記第一ネット撚糸が、空に溶け込み、防獣ネットの存在を攪乱し、また緑色に着色した第二ネット撚糸が、圃場の作物に溶け込み、防獣ネットの存在を攪乱し、猿の飛来を防止し、かつプラス・マイナス導電ネット撚糸を介して、猿を電撃することを特徴とした猿対策用の防獣ネットの構造である。
【発明の効果】
【００１５】
請求項１の発明は、圃場に立設した多数本のポールに、二重環状部を備えた可撓性ポールを挿入し、可撓性ポールの一方端部の二重環状部に吊下げ用ロープを係止し、この吊下げ用ロープを防獣ネット係止部に順次挿入し、この挿入完了後に、該防獣ネットをポール及び／又は可撓性ポールの一方端部に係止し、その後、該防獣ネットを展開しながら前記吊下げロープを、ポールの間隔に対応した間隔で、前記可撓性ポールの二重環状部に、係止し、吊下げ用ロープと防獣ネットを吊下げ支持するとともに、この防獣ネットの下方を、前記圃場の地面に重畳するように設置し、前記圃場を、当該防獣ネットで囲繞する猿対策用の防獣ネットの構造において、
前記防獣ネットは、
合成樹脂製の繊維を数本撚り合せたネット撚糸と、忌避剤を添加した撚糸とを撚り上げた忌避剤を添加したネット撚糸を、ナイロン繊維を数本撚り合せたネット撚糸と、忌避剤を添加した撚糸とで構成し、紺色に着色した第一ネット撚糸と、
また前記合成樹脂製の繊維を数本撚り合せたネット撚糸と、忌避剤を添加した撚糸とを撚り上げた忌避剤を添加したネット撚糸を、ポリエチレン繊維を数本撚り合せたネット撚糸と、忌避剤を添加した撚糸とで構成し、緑色に着色した第二ネット撚糸と、
さらにポリエチレン繊維を数本撚り合せたネット撚糸と、ワイヤーを撚り上げてなるプラス極用の導電撚糸で結節し、赤色に着色したプラス導電ネット撚糸と、
またポリエチレン繊維を数本撚り合せたネット撚糸と、ワイヤーを撚り上げてなるマイナス極用の導電撚糸で結節し、黒色に着色したマイナス導電ネット撚糸と、で構成し、
前記紺色に着色した第一ネット撚糸を、前記防獣ネットの上下方に配置し、緑色に着色した第二ネット撚糸を、前記防獣ネットの中間に配置し、前記圃場に張装した状態で、前記第一ネット撚糸が、空に溶け込み、防獣ネットの存在を攪乱し、また緑色に着色した第二ネット撚糸が、圃場の作物に溶け込み、防獣ネットの存在を攪乱し、猿の飛来を防止し、かつプラス・マイナス導電ネット撚糸を介して、猿を電撃することを特徴とした猿対策用の防獣ネットの構造である。
【００１６】
従って、請求項１は、圃場の周辺に、簡易、かつ確実に防獣ネットが張装できる構造で、かつこの張装の迅速化が図れる防獣ネットの構造を提供できること等の特徴を有する。そして、また請求項１の発明は、圃場の周辺に、簡易、かつ確実に防獣ネットを張装するに際し、この防獣ネットの結節寸法を、全体において、略均一に確保することが可能であり、猿の飛来時において、把持できる防獣ネットの重なり箇所を少なくすること、そして、また、可撓性ポールの間隔に合せて、防獣ネットの張装寸法を保持可能とする猿対策用として最適な防獣ネットの構造を提供できる。さらに請求項１の発明は、ポール、可撓性ポール、並びに防獣ネットと、吊下げ用ロープと、設置用ロープとを、現場に個別に、持ち込み、この現場で、ワンタッチで、かつ特別な細工をすることなく、張装できる猿対策用の防獣ネットの装置を提供できる。
【発明を実施するための最良の形態】
【００１７】
本発明の一例を説明する。
【００１８】
先ず図面の説明をすると、図１は圃場の全体に、防獣ネットを張装し、この防獣ネットに電気を供給する電源等の装置を設置し、この圃場を、防獣ネットで囲繞した一例を示した一部省略の俯瞰図、図２は、図１の一部を拡大して示した模式図である。そして、図３〜図１５は、圃場全体を、防獣ネットで囲繞する方法の一例を順に説明するものであり、図３はポールを、地中に適宜間隔で立設する模式図であり、例えば、猿の飛来、地形等を考慮し、その間隔を決定する。図４は地中に立設したポールに、順次、可撓性ポールを差込む状態を示した模式図、図５は、図４においてポールに差込んだ可撓性ポールの二重環状部を示した拡大模式図、図６は、図４においてポールに差込んだ可撓性ポールの二重環状部（ロープホルダ）に、吊下げ用ロープを係止した状態を示した拡大模式図、図７は、防獣ネットの上方の編成ネット係止部を結束する結束具を開放する状態を示した要部の模式図、図８は、防獣ネットの少なくとも、上方の編成ネット係止部の結束を開放し、この開放した上方の編成ネット係止部に、吊下げ用ロープを差入れる状態を示した模式図、図９は、吊下げ用ロープに差入れた上方の編成ネット係止部を、ポール及び／又は可撓性ポールの一方端部に移動し、この防獣ネットを、これに係止した状態を示した模式図、図１０は、図９の状態から、吊下げ用ロープを、ポールの間隔に対応した間隔で、可撓性ポールの二重環状部に、係止し、この防獣ネットの網目の開きを、同じ状態に維持して、この防獣ネットの体裁の確保等する状態を説明する模式図、図１１は、図１０の状態から、吊下げ用ロープを、ポールの間隔に対応した間隔で、次の可撓性ポールの二重環状部に、係止し、この防獣ネットの網目の開きを、同じ状態に維持して、この防獣ネットの体裁を確保等しながら、順次、展開する状態の過程の一部を説明する模式図、図１２は、図１１の状態から、さらに防獣ネットを展開する状態を示した模式図、図１３は、図１２の状態から、防獣ネットを、順次、展開し、最終の段階となって、ポール及び／又は可撓性ポールの他方端部に移動した状態を示した模式図、図１４は、図１３の如く、他方の端のポール及び／又は可撓性ポールに移動し、この防獣ネットを、これに係止した状態を示した模式図、図１５は、ポール及び／又は可撓性ポールの一方端部から、ポール及び／又は可撓性ポールの他方端部に、吊下げ用ロープを係止するとともに、防獣ネットを張装し、圃場全体を、この防獣ネットで囲繞した状態の一部を示した模式図である。尚、図１６−１は、防獣ネットの略上半分を示した拡大正面図、図１６−２は、防獣ネットの略下半分を示した拡大正面図を示している。
【００１９】
最初に、図３〜図１５に示した圃場全体を、防獣ネットで囲繞する方法の一例を順に説明する。
【００２０】
この一例では、図１に示した方形状の圃場Ａを、防獣ネットＢ（後述する合成樹脂製の繊維を数本撚り合せたネット撚糸１（以下、簡略して、［撚糸１］とする）と、忌避剤を添加した撚糸とを撚り上げた忌避剤を添加したネット撚糸２（「以下、簡略して、［忌避剤添加ネット撚糸２］とする」）と、プラス・マイナス導電ネット撚糸３・４、並びに吊下げ用ロープ５と、装着用ロープ６とを主構成要素とする）で囲繞するために、この圃場Ａには、猿の飛来、地形、自然条件、森林環境等を考慮し、多数本の硬性の筒体でなるポール８を、適宜間隔で立設する（図３参照）。
【００２１】
そして、この多数本のポール８には、順次、自由端に錘入り吊下げ用ロープ５を嵌入可能な二重環状部１０００を備えた可撓性ポール１０を挿入し（図４参照）、可撓性ポール１０の一方端部の二重環状部１０００に、吊下げ用ロープ５を係止する（図６参照）。そして、この係止した吊下げ用ロープ５の自由端５０、結束を開放された防獣ネットＢの忌避剤添加ネット撚糸２のループ箇所２００（図７参照）に、その自由端５０から、順次挿入する（図８参照）。この挿入完了後に、防獣ネットＢを、ポール８及び／又は可撓性ポール１０の一方端部８０、１００１に係止し、この一方端部８０、１００１（場合により、一方も可である）を固定し（図１０参照）、この際に、図９の如く、防獣ネットＢを、この一方端部８０、１００１に寄せることが望ましい。
【００２２】
その後、防獣ネットＢを、吊下げ用ロープ５の全体に展開し、防獣ネットＢが展開された状態を確保しながら、順次、吊下げ用ロープ５を、ポール８（可撓性ポール１０）の間隔に対応した間隔で、可撓性ポール１０の二重環状部１０００に、係止し（図１２参照）、防獣ネットＢの網目Ｂ１の開きを、全ての網目Ｂ１において、同じ状態に維持して、防獣ネットＢの体裁の確保と、風に対する抵抗の均一化を図り倒壊防止と、また猿の引っ掛りをなくす作業を順次行い（図１３参照）、圃場Ａを囲繞した可撓性ポール１０に、吊下げ用ロープ５と防獣ネットＢを吊下げ支持するとともに、防獣ネットＢの下方を、圃場Ａの地面Ａ１に重畳するように設置し、かつこの防獣ネットＢの下方の編成ネット係止部に順次、地面設置用の錘入り装着用ロープ６を、順次、挿入し、前記圃場Ａを、防獣ネットＢで囲繞し、かつポール８及び／又は可撓性ポール１０の他方端部８１、１００２に係止し、この他方端部８１、１００２（場合により、一方も可である）を固定する（図１４参照）。以上のような作業を介して、圃場Ａを、防獣ネットＢで囲繞し、かつこの防獣ネットＢの上下方には、吊下げ用ロープ５と、装着用ロープ６を介して、盲動防止と、猿の吊下がりによる撓み防止、又は地面Ａ１よりの侵入防止とを図る（図１５参照）。
【００２３】
そして、この防獣ネットＢのプラス・マイナス導電ネット撚糸３・４を、バッテリー１１等の電源に接続する。従って、このプラス・マイナス導電ネット撚糸３・４への通電を介して、この防獣ネットＢの全体に通電し、しかも、前記可撓性ポール１０を利用して、猿の防獣ネットＢの乗越え防止を図り、さらに地面Ａ１への設置を介して、猿の潜り込みを防止する猿対策用の防獣ネットの構造である。
【００２４】
尚、ポール８と可撓性ポール１０とは、適宜の長さを確保したら、止め具（図示せず）を介して固止し、かつこの可撓性ポール１０の回転防止を図る。また防獣ネットＢを、ポール８及び／又は可撓性ポール１０の一方端部８０、１００１、又は他方端部８１、１００２に係止し、その他の中間のポール８及び／又は可撓性ポール１０に係止しない構造とすることで、この防獣ネットＢが風になびき、猿の抱持を困難にすること、また猿自身の抱持の困難性を確保する等して、害獣防止に役立つ利点がある。尚、隅部のポール８及び／又は可撓性ポール１０に関しては、係止することが、防獣ネットＢの形態保持と、盲動及び／又は剥離防止に有効である。
【００２５】
次に、防獣用ネットＢの構造を説明すると、ネット撚糸１と、忌避剤添加ネット撚糸２とで構成した第一ネット撚糸２０であり、この第一ネット撚糸２０を紺色に着色し、またネット撚糸１と、忌避剤添加ネット撚糸２とで構成した第二ネット撚糸２１であり、第二ネット撚糸２１を緑色に着色し、さらにポリエチレン繊維を数本撚り合せたネット撚糸１と、ワイヤー３０とを撚り上げてなるプラス極用の導電撚糸３１で結節したプラス導電ネット撚糸３と、ポリエチレン繊維を数本撚り合せたネット撚糸１と、ワイヤー３０を撚り上げてなるマイナス極用の導電撚糸４０で結節したマイナス導電ネット撚糸４であり、このプラス導電ネット撚糸３を赤色に着色し、またマイナス導電ネット撚糸４を黒色に着色した構成である。従って、紺色に着色した第一ネット撚糸２０を、防獣ネットＢの上下方に配置し、緑色に着色した第二ネット撚糸２１を、防獣ネットＢの中間に配置し、圃場Ａに張装した状態で、紺色に着色した第一ネット撚糸２０が、空に溶け込み、防獣ネットＢの存在を攪乱し、また緑色に着色した第二ネット撚糸２１が、圃場Ａの作物Ａ２に溶け込み、防獣ネットＢの存在を攪乱し、猿の飛来を防止し、かつプラス・マイナス導電ネット撚糸３、４を介して、猿を電撃することを特徴とする。そして、プラス・マイナス導電ネット撚糸３、４を、それぞれ個別に着色することで、管理及び／又は接続の容易化と、接続ミスの解消に有効である。
【００２６】
図中３２は、防獣ネットＢの結節を示している。
【図面の簡単な説明】
【００２７】
【図１】図１は圃場の全体に、防獣ネットを張装し、この防獣ネットに電気を供給する電源等の装置を設置し、この圃場を、防獣ネットで囲繞した一例を示した一部省略の俯瞰図
【図２】図２は、図１の一部を拡大して示した模式図
【図３】図３はポールを、地中に適宜間隔で立設する模式図であり、例えば、猿の飛来、地形等を考慮し、その間隔を決定する
【図４】図４は地中に立設したポールに、順次、可撓性ポールを差込む状態を示した模式図
【図５】図５は、図４においてポールに差込んだ可撓性ポールの二重環状部を示した拡大模式図
【図６】図６は、図４においてポールに差込んだ可撓性ポールの二重環状部（ロープホルダ）に、吊下げ用ロープを係止した状態を示した拡大模式図
【図７】図７は、防獣ネットの上方の編成ネット係止部を結束する結束具を開放する状態を示した要部の模式図
【図８】図８は、防獣ネットの少なくとも、上方の編成ネット係止部の結束を開放し、この開放した上方の編成ネット係止部に、吊下げ用ロープを差入れる状態を示した模式図
【図９】図９は、吊下げ用ロープに差入れた上方の編成ネット係止部を、ポール及び／又は可撓性ポールの一方端部に移動し、この防獣ネットを、これに係止した状態を示した模式図
【図１０】図１０は、図９の状態から、吊下げ用ロープを、ポールの間隔に対応した間隔で、可撓性ポールの二重環状部に、係止し、この防獣ネットの網目の開きを、同じ状態に維持して、この防獣ネットの体裁の確保等する状態を説明する模式図
【図１１】図１１は、図１０の状態から、吊下げ用ロープを、ポールの間隔に対応した間隔で、次の可撓性ポールの二重環状部に、係止し、この防獣ネットの網目の開きを、同じ状態に維持して、この防獣ネットの体裁の確保等しながら、順次、展開する状態の過程の一部を説明する模式図
【図１２】図１２は、図１１の状態から、さらに防獣ネットを展開する状態を示した模式図
【図１３】図１３は、図１２の状態から、防獣ネットを、瞬時、展開し、最終の段階となって、他方の端のポール及び／又は可撓性ポールに移動した状態を示した模式図
【図１４】図１４は、図１３の如く、ポール及び／又は可撓性ポールの他方端部に移動し、この防獣ネットを、これに係止した状態を示した模式図
【図１５】図１５は、ポール及び／又は可撓性ポールの一方端部から、ポール及び／又は可撓性ポールの他方端部に、吊下げ用ロープを係止するとともに、防獣ネットを張装し、圃場全体を、この防獣ネットで囲繞した状態の一部を示した模式図
【図１６−１】図１６−１は、防獣ネットの略上半分を示した拡大正面図
【図１６−２】図１６−２は、防獣ネットの略下半分を示した拡大正面図
【符号の説明】
【００２８】
１          ネット撚糸
２          忌避剤添加ネット撚糸
２００      ループ箇所
３          プラス導電ネット撚糸
３０        ワイヤー
３１        プラス極用の導電撚糸
４          マイナス導電ネット撚糸
４０        マイナス極用の導電撚糸
５          吊下げ用ロープ
５０        自由端
６          装着用ロープ
８          ポール
８０        一方端部
８１        他方端部
１０        可撓性ポール
１００      二重環状部
１００１    一方端部
１００２    他方端部
１１        バッテリー
２０        第一ネット撚糸
２１        第二ネット撚糸
３２        結節
Ａ          圃場
Ａ１        地面
Ａ２        作物
Ｂ          防獣ネット
Ｂ１        網目